(57)【要約】  本願は移動体通信システム、方法及び装置を提供し、通信技術分野に関する。前記システムはアンカーノード、ドナーノード、中継ネットワーク及び端末を備え、前記アンカーノードと前記ドナーノードは固定接続によって接続され、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがある。本願は５Ｇシステムに適用される中継技術を提供し、リレーノードからドナーノードまでのルーティング伝送及びマルチホップ伝送を実現する。
2021513255.tif 000002
【特許請求の範囲】
【請求項１】
移動体通信システムであって、アンカーノード、ドナーノード、中継ネットワーク及び端末を備え、
前記アンカーノードと前記ドナーノードは固定接続によって接続され、前記アンカーノードはユーザープレーン及び／又は制御プレーンのアンカーであり、
前記ドナーノードと前記中継ネットワークは第１無線接続によって接続され、前記中継ネットワークと前記端末は第２無線接続によって接続され、
前記中継ネットワークは少なくとも１つのリレーノードを含み、前記少なくとも１つのリレーノードには、前記ドナーノードに直接接続される第１リレーノード及び前記端末に直接接続される第２リレーノードがあることを特徴とする移動体通信システム。
【請求項２】
前記アンカーノードは、前記端末に対して対応の第１パケットデータ収束プロトコルデータユニット（ＰＤＣＰ  ＰＤＵ）を生成し、前記固定接続によって前記ドナーノードに前記第１ＰＤＣＰ  ＰＤＵを送信することに用いられることを特徴とする請求項１に記載のシステム。
【請求項３】
前記ドナーノードは前記第１ＰＤＣＰ  ＰＤＵに第１メッセージヘッダを追加することに用いられ、
前記第１メッセージヘッダは、前記第１ＰＤＣＰ  ＰＤＵを前記中継ネットワークにおいて前記第２リレーノードに伝送することをサポートすることに用いられることを特徴とする請求項２に記載のシステム。
【請求項４】
前記第１メッセージヘッダは、前記第１ＰＤＣＰ  ＰＤＵに対するルーティング伝送及びマルチホップ伝送を実現することに用いられることを特徴とする請求項３に記載のシステム。
【請求項５】
前記ドナーノードは更に、前記第１ＰＤＣＰ  ＰＤＵに前記第１メッセージヘッダを追加する前に、前記第１ＰＤＣＰ  ＰＤＵに第２メッセージヘッダを追加して、第２ＰＤＣＰ  ＰＤＵを生成することに用いられ、
前記第２メッセージヘッダは、少なくとも２つの端末のＰＤＵセッションを同じＰＤＣＰ接続に多重化することに用いられ、前記ＰＤＣＰ接続は前記ドナーノードと前記第２リレーノードとの間に確立されることを特徴とする請求項３又は４に記載のシステム。
【請求項６】
前記第２メッセージヘッダはＰＤＣＰメッセージヘッダであることを特徴とする請求項５に記載のシステム。
【請求項７】
前記ドナーノードは更に、前記第１ＰＤＣＰ  ＰＤＵに前記第１メッセージヘッダを追加する前に、前記第１ＰＤＣＰ  ＰＤＵに第３メッセージヘッダを追加することに用いられ、
前記第３メッセージヘッダは、少なくとも２つの端末のＰＤＵセッションを区別することに用いられることを特徴とする請求項３〜６のいずれか１項に記載のシステム。
【請求項８】
前記第３メッセージヘッダは汎用パケット無線サービストンネルプロトコル（ＧＴＰ）メッセージヘッダ及び／又はユーザーデータグラムプロトコル（ＵＤＰ）メッセージヘッダ及び／又はインターネットプロトコル（ＩＰ）メッセージヘッダであることを特徴とする請求項７に記載のシステム。
【請求項９】
前記端末と前記アンカーノードとの間にシグナリグ無線ベアラ（ＳＲＢ）１／２が確立され、及び／又は、前記端末と前記ドナーノードとの間に前記シグナリグ無線ベアラ（ＳＲＢ）１／２が確立されることを特徴とする請求項１〜８のいずれか１項に記載のシステム。
【請求項１０】
前記端末と前記第２リレーノードとの間にシグナリグ無線ベアラ（ＳＲＢ）３が確立されることを特徴とする請求項１〜８のいずれか１項に記載のシステム。
【請求項１１】
前記端末と前記アンカーノードとの間にマスタ基地局群（ＭＣＧ）の無線リンク制御ベアラ（ＲＬＣ  Ｂｅａｒｅｒ）が確立されることを特徴とする請求項１〜８のいずれか１項に記載のシステム。
【請求項１２】
前記端末と前記第２リレーノードとの間にセカンダリ基地局群（ＳＣＧ）の無線リンク制御ベアラ（ＲＬＣ  Ｂｅａｒｅｒ）が確立されることを特徴とする請求項１〜８のいずれか１項に記載のシステム。
【請求項１３】
前記第２リレーノードと前記アンカーノードとの間にシグナリグ無線ベアラ（ＳＲＢ）１／２が確立され、及び／又は、前記第２リレーノードと前記第１リレーノードとの間に前記シグナリグ無線ベアラ（ＳＲＢ）１／２が確立されることを特徴とする請求項１〜８のいずれか１項に記載のシステム。
【請求項１４】
前記第２リレーノードと前記第１リレーノードとの間にシグナリグ無線ベアラ（ＳＲＢ）３が確立されることを特徴とする請求項１〜８のいずれか１項に記載のシステム。
【請求項１５】
前記第１リレーノードと前記ドナーノードとの間にシグナリグ無線ベアラ（ＳＲＢ）３が確立されることを特徴とする請求項１〜８のいずれか１項に記載のシステム。
【請求項１６】
前記第２リレーノードと前記アンカーノードとの間にマスタ基地局群（ＭＣＧ）の無線リンク制御ベアラ（ＲＬＣ  Ｂｅａｒｅｒ）が確立されることを特徴とする請求項１〜８のいずれか１項に記載のシステム。
【請求項１７】
前記第２リレーノードと前記第１リレーノードとの間にセカンダリ基地局群（ＳＣＧ）の無線リンク制御ベアラ（ＲＬＣ  Ｂｅａｒｅｒ）が確立されることを特徴とする請求項１〜８のいずれか１項に記載のシステム。
【請求項１８】
前記中継ネットワークにおける各リレーノードに中継プロトコルスタックＸが設定され、
前記中継プロトコルスタックＸは、前記第１メッセージヘッダに基づいて前記第１ＰＤＣＰ  ＰＤＵの処理操作を決定することに用いられ、前記処理操作は前記リレーノードの高位層プロトコルスタックへの転送、又は、前記中継ネットワークにおける他のリレーノードへの転送を含むことを特徴とする請求項３〜１７のいずれか１項に記載のシステム。
【請求項１９】
前記中継プロトコルスタックＸは無線リンク制御（ＲＬＣ）プロトコルスタックの上位層に位置することを特徴とする請求項１８に記載のシステム。
【請求項２０】
前記中継プロトコルスタックＸはＰＤＣＰプロトコルスタックの下位層に位置することを特徴とする請求項１８に記載のシステム。
【請求項２１】
前記中継プロトコルスタックＸと前記ＰＤＣＰプロトコルスタックは同じ層に属することを特徴とする請求項１８に記載のシステム。
【請求項２２】
前記第１ＰＤＣＰ  ＰＤＵは前記ドナーノードと前記第１リレーノードとの間に自動再送要求（ＡＲＱ）再送メカニズムを用いて伝送し、前記第１ＰＤＣＰ  ＰＤＵは前記第１リレーノードと前記第２リレーノードとの間に前記ＡＲＱ再送メカニズムを用いて伝送することを特徴とする請求項２〜２１のいずれか１項に記載のシステム。
【請求項２３】
前記第１ＰＤＣＰ  ＰＤＵは前記アンカーノードと前記端末との間にエンドツーエンド暗号化伝送及び／又は完全性保護及び／又はデータ再送を用いることを特徴とする請求項２〜２１のいずれか１項に記載のシステム。
【請求項２４】
前記第２ＰＤＣＰ  ＰＤＵは前記ドナーノードと前記第２リレーノードとの間にエンドツーエンド暗号化伝送及び／又は完全性保護及び／又はデータ再送を用いることを特徴とする請求項５〜８のいずれか１項に記載のシステム。
【請求項２５】
前記アンカーノードと前記端末との間には前記端末に対応する第１データ無線ベアラ（ＤＲＢ）があり、
前記アンカーノードは前記端末に対応するデータフローを前記第１データ無線ベアラにベアリングして前記第２リレーノードに伝送することに用いられ、前記第２リレーノードは前記データフローを前記端末に送信することを特徴とする請求項１〜２４のいずれか１項に記載のシステム。
【請求項２６】
前記アンカーノードと前記第２リレーノードとの間には前記第２リレーノードに対応する第２データ無線ベアラ（ＤＲＢ）があり、前記アンカーノードは前記端末に対応するデータフローを前記第２ＤＲＢにベアリングして前記第２リレーノードに伝送することに用いられ、前記第２リレーノードは前記データフローをＧＴＰ処理して前記端末に送信することを特徴とする請求項１〜２４のいずれか１項に記載のシステム。
【請求項２７】
前記第２ＤＲＢには少なくとも２つの端末に対応するデータフローがベアリングされることを特徴とする請求項２６に記載のシステム。
【請求項２８】
前記第２リレーノードは分散ユニットとして第１インターフェースを介して前記ドナーノードに接続され、前記第１インターフェースは統合−分散インターフェースであることを特徴とする請求項１〜２７のいずれか１項に記載のシステム。
【請求項２９】
前記第２リレーノードは基地局として第２インターフェースを介して前記ドナーノードに接続され、前記第２インターフェースはＮ２、Ｎ３又はＸｎインターフェースであることを特徴とする請求項１〜２７のいずれか１項に記載のシステム。
【請求項３０】
前記中継ネットワークにおけるリレーノードは第１アクセス方式でターゲットノードにアクセスし、前記ターゲットノードを介してネットワーク構成情報を取得し、前記第１アクセス方式が端末タイプのアクセス方式であり、及び、前記ネットワーク構成情報に基づいて第２アクセス方式で前記ドナーノードにアクセスし、前記第２アクセス方式がリレーノードタイプのアクセス方式であることを特徴とする請求項１〜２９のいずれか１項に記載のシステム。
【請求項３１】
データ伝送方法であって、移動体通信システムのアンカーノードに適用され、前記移動体通信システムは前記アンカーノード、ドナーノード、中継ネットワーク及び端末を備え、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがあり、
前記方法は、
前記端末に対して対応の第１パケットデータ収束プロトコルデータユニット（ＰＤＣＰ  ＰＤＵ）を生成することと、
前記ドナーノードとの固定接続によって前記ドナーノードに前記第１ＰＤＣＰ  ＰＤＵを送信することと、を含むことを特徴とするデータ伝送方法。
【請求項３２】
前記アンカーノードと前記端末との間には前記端末に対応する第１データ無線ベアラ（ＤＲＢ）があり、
前記方法は更に、
前記端末に対応するデータフローを前記第１ＤＲＢにベアリングして前記第２リレーノードに伝送し、前記第２リレーノードが前記データフローを前記端末に送信することを含むことを特徴とする請求項３１に記載の方法。
【請求項３３】
前記アンカーノードと前記第２リレーノードとの間には前記第２リレーノードに対応する第２データ無線ベアラ（ＤＲＢ）があり、
前記方法は更に、
前記端末に対応するデータフローを前記第２ＤＲＢにベアリングして前記第２リレーノードに伝送し、前記第２リレーノードが前記データフローをＧＴＰ処理して前記端末に送信することを含むことを特徴とする請求項３１に記載の方法。
【請求項３４】
データ伝送方法であって、移動体通信システムのドナーノードに適用され、前記移動体通信システムはアンカーノード、前記ドナーノード、中継ネットワーク及び端末を備え、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがあり、
前記方法は、
前記アンカーノードとの固定接続によって前記アンカーノードから送信された第１パケットデータ収束プロトコルデータユニット（ＰＤＣＰ  ＰＤＵ）を受信することと、
前記第１ＰＤＣＰ  ＰＤＵに第１メッセージヘッダを追加し、前記第１メッセージヘッダは前記ＰＤＣＰ  ＰＤＵを前記中継ネットワークにおいて前記第２リレーノードに伝送することをサポートすることに用いられることと、
前記第１メッセージヘッダを追加した前記第１ＰＤＣＰ  ＰＤＵを前記第１リレーノードに送信することと、を含むことを特徴とするデータ伝送方法。
【請求項３５】
前記第１メッセージヘッダは前記第１ＰＤＣＰ  ＰＤＵに対するルーティング伝送及びマルチホップ伝送を実現することに用いられることを特徴とする請求項３４に記載の方法。
【請求項３６】
前記第１ＰＤＣＰ  ＰＤＵに第１メッセージヘッダを追加する前に、前記方法は更に、前記第１ＰＤＣＰ  ＰＤＵに第２メッセージヘッダを追加することを含み、前記第２メッセージヘッダは少なくとも２つの端末のＰＤＵセッションを同じＰＤＣＰ接続に多重化することに用いられ、前記ＰＤＣＰ接続は前記ドナーノードと前記第２リレーノードとの間に確立されることを特徴とする請求項３４又は３５に記載の方法。
【請求項３７】
前記第１ＰＤＣＰ  ＰＤＵに第１メッセージヘッダを追加する前に、前記方法は更に、前記第１ＰＤＣＰ  ＰＤＵに第３メッセージヘッダを追加することを含み、前記第３メッセージヘッダは少なくとも２つの端末のＰＤＵセッションを区別することに用いられることを特徴とする請求項３４〜３６のいずれか１項に記載の方法。
【請求項３８】
データ伝送方法であって、移動体通信システムの第１リレーノードに適用され、前記移動体通信システムはアンカーノード、ドナーノード、中継ネットワーク及び端末を備え、前記アンカーノードはユーザープレーン及び／又は制御プレーンのアンカーであり、前記アンカーノードと前記ドナーノードは固定接続によって接続され、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される前記第１リレーノード及び前記端末に直接接続される第２リレーノードがあり、
前記方法は、
前記ドナーノードから送信された第１パケットデータ収束プロトコルデータユニット（ＰＤＣＰ  ＰＤＵ）を受信することと、
前記第２リレーノードに前記第１ＰＤＣＰ  ＰＤＵを送信することと、を含むことを特徴とするデータ伝送方法。
【請求項３９】
前記ドナーノードから送信された第１ＰＤＣＰ  ＰＤＵを受信した後、前記方法は更に、
前記第１ＰＤＣＰ  ＰＤＵの第１メッセージヘッダに基づいて前記第１ＰＤＣＰ  ＰＤＵに対する処理操作を決定し、前記処理操作は前記第１リレーノードの高位層プロトコルスタックへの転送、又は、前記中継ネットワークにおける前記第２リレーノードへの転送を含むことと、
前記第１ＰＤＣＰ  ＰＤＵに対する処理操作が前記第２リレーノードへの転送であることを決定した場合、前記第２リレーノードに前記第１ＰＤＣＰ  ＰＤＵを送信するステップを実行することと、を含むことを特徴とする請求項３８に記載の方法。
【請求項４０】
データ伝送方法であって、移動体通信システムの第２リレーノードに適用され、前記移動体通信システムはアンカーノード、ドナーノード、中継ネットワーク及び端末を備え、前記アンカーノードはユーザープレーン及び／又は制御プレーンのアンカーであり、前記アンカーノードと前記ドナーノードは固定接続によって接続され、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される前記第２リレーノードがあり、
前記方法は、
前記第１リレーノードから送信された第１パケットデータ収束プロトコルデータユニット（ＰＤＣＰ  ＰＤＵ）を受信することと、
前記端末に前記第１ＰＤＣＰ  ＰＤＵを送信することと、を含むことを特徴とするデータ伝送方法。
【請求項４１】
データ伝送装置であって、移動体通信システムのアンカーノードに適用され、前記移動体通信システムは前記アンカーノード、ドナーノード、中継ネットワーク及び端末を備え、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがあり、
前記装置は、
前記端末に対して対応の第１パケットデータ収束プロトコルデータユニット（ＰＤＣＰ  ＰＤＵ）を生成することに用いられる処理モジュールと、
前記ドナーノードとの固定接続によって前記ドナーノードに前記第１ＰＤＣＰ  ＰＤＵを送信することに用いられる送信モジュールと、を備えることを特徴とするデータ伝送装置。
【請求項４２】
前記アンカーノードと前記端末との間には前記端末に対応する第１データ無線ベアラ（ＤＲＢ）があり、
前記送信モジュールは更に、前記端末に対応するデータフローを前記第１ＤＲＢにベアリングして前記第２リレーノードに伝送することに用いられ、前記第２リレーノードは前記データフローを前記端末に送信することを特徴とする請求項４１に記載の装置。
【請求項４３】
前記アンカーノードと前記第２リレーノードとの間には前記第２リレーノードに対応する第２データ無線ベアラ（ＤＲＢ）があり、
前記送信モジュールは更に、前記端末に対応するデータフローを前記第２ＤＲＢにベアリングして前記第２リレーノードに伝送することに用いられ、前記第２リレーノードは前記データフローをＧＴＰ処理して前記端末に送信することを特徴とする請求項４１に記載の装置。
【請求項４４】
データ伝送装置であって、移動体通信システムのドナーノードに適用され、前記移動体通信システムはアンカーノード、前記ドナーノード、中継ネットワーク及び端末を備え、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがあり、
前記装置は、
前記アンカーノードとの固定接続によって前記アンカーノードから送信された第１パケットデータ収束プロトコルデータユニット（ＰＤＣＰ  ＰＤＵ）を受信することに用いられる受信モジュールと、
前記第１ＰＤＣＰ  ＰＤＵに第１メッセージヘッダを追加することに用いられ、前記第１メッセージヘッダは前記ＰＤＣＰ  ＰＤＵを前記中継ネットワークにおいて前記第２リレーノードに伝送することをサポートすることに用いられる処理モジュールと、
前記第１メッセージヘッダを追加した前記第１ＰＤＣＰ  ＰＤＵを前記第１リレーノードに送信することに用いられる送信モジュールと、を備えることを特徴とするデータ伝送装置。
【請求項４５】
前記第１メッセージヘッダは前記第１ＰＤＣＰ  ＰＤＵに対するルーティング伝送及びマルチホップ伝送を実現することに用いられることを特徴とする請求項４４に記載の装置。
【請求項４６】
前記処理モジュールは更に、前記第１ＰＤＣＰ  ＰＤＵに第２メッセージヘッダを追加することに用いられ、前記第２メッセージヘッダは少なくとも２つの端末のＰＤＵセッションを同じＰＤＣＰ接続に多重化することに用いられ、前記ＰＤＣＰ接続は前記ドナーノードと前記第２リレーノードとの間に確立されることを特徴とする請求項４４又は４５に記載の装置。
【請求項４７】
前記処理モジュールは更に、前記第１ＰＤＣＰ  ＰＤＵに第３メッセージヘッダを追加することに用いられ、前記第３メッセージヘッダは少なくとも２つの端末のＰＤＵセッションを区別することに用いられることを特徴とする請求項４４〜４６のいずれか１項に記載の装置。
【請求項４８】
データ伝送装置であって、移動体通信システムの第１リレーノードに適用され、前記移動体通信システムはアンカーノード、ドナーノード、中継ネットワーク及び端末を備え、前記アンカーノードはユーザープレーン及び／又は制御プレーンのアンカーであり、前記アンカーノードと前記ドナーノードは固定接続によって接続され、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される前記第１リレーノード及び前記端末に直接接続される第２リレーノードがあり、
前記装置は、
前記ドナーノードから送信された第１パケットデータ収束プロトコルデータユニット（ＰＤＣＰ  ＰＤＵ）を受信することに用いられる受信モジュールと、
前記第２リレーノードに前記第１ＰＤＣＰ  ＰＤＵを送信することに用いられる送信モジュールと、を備えることを特徴とするデータ伝送装置。
【請求項４９】
前記装置は更に、
前記第１ＰＤＣＰ  ＰＤＵの第１メッセージヘッダに基づいて前記第１ＰＤＣＰ  ＰＤＵに対する処理操作を決定することに用いられ、前記処理操作は前記第１リレーノードの高位層プロトコルスタックへの転送、又は、前記中継ネットワークにおける前記第２リレーノードへの転送を含む処理モジュールを備え、
前記送信モジュールは、前記処理モジュールが、前記第１ＰＤＣＰ  ＰＤＵに対する処理操作が前記第２リレーノードへの転送であることを決定した場合、前記第２リレーノードに前記第１ＰＤＣＰ  ＰＤＵを送信することに更に用いられることを特徴とする請求項４８に記載の装置。
【請求項５０】
データ伝送装置であって、移動体通信システムの第２リレーノードに適用され、前記移動体通信システムはアンカーノード、ドナーノード、中継ネットワーク及び端末を備え、前記アンカーノードはユーザープレーン及び／又は制御プレーンのアンカーであり、前記アンカーノードと前記ドナーノードは固定接続によって接続され、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される前記第２リレーノードがあり、
前記装置は、
前記第１リレーノードから送信された第１パケットデータ収束プロトコルデータユニット（ＰＤＣＰ  ＰＤＵ）を受信することに用いられる受信モジュールと、
前記端末に前記第１ＰＤＣＰ  ＰＤＵを送信することに用いられる送信モジュールと、を備えることを特徴とするデータ伝送装置。
【請求項５１】
アンカーノードであって、プロセッサ及びメモリを備え、前記メモリに少なくとも１つの命令が記憶され、前記少なくとも１つの命令は前記プロセッサにより実行されて、上記請求項３１〜３３のいずれか１項に記載のデータ伝送方法を実現することに用いられることを特徴とするアンカーノード。
【請求項５２】
ドナーノードであって、プロセッサ及びメモリを備え、前記メモリに少なくとも１つの命令が記憶され、前記少なくとも１つの命令は前記プロセッサにより実行されて、上記請求項３４〜３７のいずれか１項に記載のデータ伝送方法を実現することに用いられることを特徴とするドナーノード。
【請求項５３】
リレーノードであって、プロセッサ及びメモリを備え、前記メモリに少なくとも１つの命令が記憶され、前記少なくとも１つの命令は前記プロセッサにより実行されて、上記請求項３８〜４０のいずれか１項に記載のデータ伝送方法を実現することに用いられることを特徴とするリレーノード。
【請求項５４】
コンピュータ可読記憶媒体であって、少なくとも１つの命令が記憶され、前記少なくとも１つの命令はプロセッサにより実行されて、上記請求項３１〜３３のいずれか１項に記載のデータ伝送方法を実現することに用いられることを特徴とするコンピュータ可読記憶媒体。
【請求項５５】
コンピュータ可読記憶媒体であって、少なくとも１つの命令が記憶され、前記少なくとも１つの命令はプロセッサにより実行されて、上記請求項３４〜３７のいずれか１項に記載のデータ伝送方法を実現することに用いられることを特徴とするコンピュータ可読記憶媒体。
【請求項５６】
コンピュータ可読記憶媒体であって、少なくとも１つの命令が記憶され、前記少なくとも１つの命令はプロセッサにより実行されて、上記請求項３８〜４０のいずれか１項に記載のデータ伝送方法を実現することに用いられることを特徴とするコンピュータ可読記憶媒体。
【発明の詳細な説明】
【技術分野】
【０００１】
本願の実施例は通信技術分野に関し、特に移動体通信システム、方法及び装置に関する。
【背景技術】
【０００２】
ロングタームエボリューション（ＬＴＥ、Ｌｏｎｇ−Ｔｅｒｍ  Ｅｖｏｌｕｔｉｏｎ）システムにおいて、端末は１つのリレーノード（Ｒｅｌａｙ  Ｎｏｄｅ）を介してネットワーク側と通信することができる。リレーノードは無線接続によってプライマリセルに接続される。本質的に、リレーノードは低電力基地局であって、無線方式でネットワークの残りの部分に接続される。
【０００３】
現在、新無線（ＮＲ、Ｎｅｗ  Ｒａｄｉｏ）システムに適用される中継技術がない。
【発明の概要】
【発明が解決しようとする課題】
【０００４】
本願の実施例は移動体通信システム、方法及び装置を提供する。
【課題を解決するための手段】
【０００５】
一態様では、本願の実施例は移動体通信システムを提供し、前記システムはアンカーノード、ドナーノード、中継ネットワーク及び端末を備え、
前記アンカーノードと前記ドナーノードは固定接続によって接続され、前記アンカーノードはユーザープレーン及び／又は制御プレーンのアンカーであり、
前記ドナーノードと前記中継ネットワークは第１無線接続によって接続され、前記中継ネットワークと前記端末は第２無線接続によって接続され、
前記中継ネットワークは少なくとも１つのリレーノードを含み、前記少なくとも１つのリレーノードには、前記ドナーノードに直接接続される第１リレーノード及び前記端末に直接接続される第２リレーノードがある。
【０００６】
他の態様では、本願の実施例はデータ伝送方法を提供し、該データ伝送方法は移動体通信システムのアンカーノードに適用され、前記移動体通信システムは前記アンカーノード、ドナーノード、中継ネットワーク及び端末を備え、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがあり、
前記方法は、
前記端末に対して対応の第１パケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）のプロトコルデータユニット（ＰＤＵ、Ｐｒｏｔｏｃｏｌ  Ｄａｔａ  Ｕｎｉｔ）を生成することと、
前記ドナーノードとの固定接続によって前記ドナーノードに前記第１ＰＤＣＰ  ＰＤＵを送信することと、を含む。
【０００７】
他の態様では、本願の実施例はデータ伝送方法を提供し、該データ伝送方法は移動体通信システムのドナーノードに適用され、前記移動体通信システムはアンカーノード、前記ドナーノード、中継ネットワーク及び端末を備え、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがあり、
前記方法は、
前記アンカーノードとの固定接続によって前記アンカーノードから送信された第１ＰＤＣＰ  ＰＤＵを受信することと、
前記第１ＰＤＣＰ  ＰＤＵに第１メッセージヘッダを追加し、前記第１メッセージヘッダは前記第１ＰＤＣＰ  ＰＤＵを前記中継ネットワークにおいて前記第２リレーノードに伝送することをサポートすることに用いられることと、
前記第１メッセージヘッダを追加した前記第１ＰＤＣＰ  ＰＤＵを前記第１リレーノードに送信することと、を含む。
【０００８】
他の態様では、本願の実施例はデータ伝送方法を提供し、該データ伝送方法は移動体通信システムの第１リレーノードに適用され、前記移動体通信システムはアンカーノード、ドナーノード、中継ネットワーク及び端末を備え、前記アンカーノードはユーザープレーン及び／又は制御プレーンのアンカーであり、前記アンカーノードと前記ドナーノードは固定接続によって接続され、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される前記第１リレーノード及び前記端末に直接接続される第２リレーノードがあり、
前記方法は、
前記ドナーノードから送信された第１ＰＤＣＰ  ＰＤＵを受信することと、
前記第２リレーノードに前記第１ＰＤＣＰ  ＰＤＵを送信することと、を含む。
【０００９】
他の態様では、本願の実施例はデータ伝送方法を提供し、該データ伝送方法は移動体通信システムの第２リレーノードに適用され、前記移動体通信システムはアンカーノード、ドナーノード、中継ネットワーク及び端末を備え、前記アンカーノードはユーザープレーン及び／又は制御プレーンのアンカーであり、前記アンカーノードと前記ドナーノードは固定接続によって接続され、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される前記第２リレーノードがあり、
前記方法は、
前記第１リレーノードから送信された第１ＰＤＣＰ  ＰＤＵを受信することと、
前記端末に前記第１ＰＤＣＰ  ＰＤＵを送信することと、を含む。
【００１０】
他の態様では、本願の実施例はデータ伝送装置を提供し、該データ伝送装置は移動体通信システムのアンカーノードに適用され、前記移動体通信システムは前記アンカーノード、ドナーノード、中継ネットワーク及び端末を備え、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがあり、
前記装置は、
前記端末に対して対応の第１ＰＤＣＰ  ＰＤＵを生成することに用いられる処理モジュールと、
前記ドナーノードとの固定接続によって前記ドナーノードに前記第１ＰＤＣＰ  ＰＤＵを送信することに用いられる送信モジュールと、を備える。
【００１１】
他の態様では、本願の実施例はデータ伝送装置を提供し、該データ伝送装置は移動体通信システムのドナーノードに適用され、前記移動体通信システムはアンカーノード、前記ドナーノード、中継ネットワーク及び端末を備え、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがあり、
前記装置は、
前記アンカーノードとの固定接続によって前記アンカーノードから送信された第１ＰＤＣＰ  ＰＤＵを受信することに用いられる受信モジュールと、
前記第１ＰＤＣＰ  ＰＤＵに第１メッセージヘッダを追加することに用いられ、前記第１メッセージヘッダは前記第１ＰＤＣＰ  ＰＤＵを前記中継ネットワークにおいて前記第２リレーノードに伝送することをサポートすることに用いられる処理モジュールと、
前記第１メッセージヘッダを追加した前記第１ＰＤＣＰ  ＰＤＵを前記第１リレーノードに送信することに用いられる送信モジュールと、を備える。
【００１２】
他の態様では、本願の実施例はデータ伝送装置を提供し、該データ伝送装置は移動体通信システムの第１リレーノードに適用され、前記移動体通信システムはアンカーノード、ドナーノード、中継ネットワーク及び端末を備え、前記アンカーノードはユーザープレーン及び／又は制御プレーンのアンカーであり、前記アンカーノードと前記ドナーノードは固定接続によって接続され、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される前記第１リレーノード及び前記端末に直接接続される第２リレーノードがあり、
前記装置は、
前記ドナーノードから送信された第１ＰＤＣＰ  ＰＤＵを受信することに用いられる受信モジュールと、
前記第２リレーノードに前記第１ＰＤＣＰ  ＰＤＵを送信することに用いられる送信モジュールと、を備える。
【００１３】
他の態様では、本願の実施例はデータ伝送装置を提供し、該データ伝送装置は移動体通信システムの第２リレーノードに適用され、前記移動体通信システムはアンカーノード、ドナーノード、中継ネットワーク及び端末を備え、前記アンカーノードはユーザープレーン及び／又は制御プレーンのアンカーであり、前記アンカーノードと前記ドナーノードは固定接続によって接続され、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される前記第２リレーノードがあり、
前記装置は、
前記第１リレーノードから送信された第１ＰＤＣＰ  ＰＤＵを受信することに用いられる受信モジュールと、
前記端末に前記第１ＰＤＣＰ  ＰＤＵを送信することに用いられる送信モジュールと、を備える。
【００１４】
更なる態様では、本願の実施例はアンカーノードを提供し、前記アンカーノードはプロセッサ及びメモリを備え、前記メモリに少なくとも１つの命令が記憶され、前記少なくとも１つの命令は前記プロセッサにより実行されて、上記のアンカーノード側に関わるデータ伝送方法を実現することに用いられる。
【００１５】
更なる態様では、本願の実施例はドナーノードを提供し、前記ドナーノードはプロセッサ及びメモリを備え、前記メモリに少なくとも１つの命令が記憶され、前記少なくとも１つの命令は前記プロセッサにより実行されて、上記のドナーノード側に関わるデータ伝送方法を実現することに用いられる。
【００１６】
更なる態様では、本願の実施例はリレーノードを提供し、前記リレーノードはプロセッサ及びメモリを備え、前記メモリに少なくとも１つの命令が記憶され、前記少なくとも１つの命令は前記プロセッサにより実行されて、上記のリレーノード側に関わるデータ伝送方法を実現することに用いられる。
【００１７】
より更なる態様では、本願の実施例はコンピュータ可読記憶媒体を提供し、前記記憶媒体に少なくとも１つの命令が記憶され、前記少なくとも１つの命令はプロセッサにより実行されて、上記のアンカーノード側に関わるデータ伝送方法を実現することに用いられる。
【００１８】
より更なる態様では、本願の実施例はコンピュータ可読記憶媒体を提供し、前記記憶媒体に少なくとも１つの命令が記憶され、前記少なくとも１つの命令はプロセッサにより実行されて、上記のドナーノード側に関わるデータ伝送方法を実現することに用いられる。
【００１９】
より更なる態様では、本願の実施例はコンピュータ可読記憶媒体を提供し、前記記憶媒体に少なくとも１つの命令が記憶され、前記少なくとも１つの命令はプロセッサにより実行されて、上記のリレーノード側に関わるデータ伝送方法を実現することに用いられる。
【発明の効果】
【００２０】
本願の実施例に係る技術案では、５Ｇシステムに適用される中継技術を提供し、リレーノードからドナーノードまでのルーティング伝送及びマルチホップ伝送を実現する。
【図面の簡単な説明】
【００２１】
【図１】図１は本願の一実施例に係る移動体通信システムの構造模式図である。
【図２】図２は本願の一実施例に係るリレーノードの無線プロトコルスタックの模式図である。
【図３】図３は本願の一実施例に係る各装置の無線プロトコルスタックの模式図である。
【図４】図４は本願の他の実施例に係る各装置の無線プロトコルスタックの模式図である。
【図５】図５は本願の一実施例に係るデータ伝送方法のフローチャートである。
【図６】図６は本願の一実施例に係るデータ伝送装置のブロック図である。
【図７】図７は本願の他の実施例に係るデータ伝送装置のブロック図である。
【図８】図８は本願の他の実施例に係るデータ伝送装置のブロック図である。
【図９】図９は本願の一実施例に係るアンカーノードの構造模式図である。
【図１０】図１０は本願の一実施例に係るドナーノードの構造模式図である。
【図１１】図１１は本願の一実施例に係るリレーノードの構造模式図である。
【発明を実施するための形態】
【００２２】
本願の目的、技術案及び利点をより明確にするために、以下に図面を参照しながら本願の実施形態を更に詳しく説明する。
【００２３】
本明細書に言及した「モジュール」とは一般的にメモリに記憶されるある機能を実現できるプログラム又は命令を指す。本明細書に言及した「ユニット」とは一般的に論理によって区別した機能構造を指し、該「ユニット」は単にハードウェアで実現されてもよく、ソフトウェア及びハードウェアの組み合わせで実現されてもよい。
【００２４】
本明細書に言及した「複数」とは２つ以上を指す。「及び／又は」は関連オブジェクトの関連関係を説明するためのものであり、例えば、「Ａ及び／又はＢ」はＡが独立して存在すること、ＡとＢが同時に存在すること、Ｂが独立して存在することの３つの状況を示してもよい。文字「／」は一般的に前後関連オブジェクトが「又は」の関係であることを示す。本願の明細書及び特許請求の範囲に使用される「第１」「第２」及び類似の用語はいかなる順序、数又は重要性を示すものではなく、異なる構成部分を区別するためのものである。
【００２５】
図１には本願の一実施例に係る移動体通信システムの構造模式図を示す。該移動体通信システムはＮＲシステムとも称される第５世代（５Ｇ、５ｔｈ  Ｇｅｎｅｒａｔｉｏｎ）システムであってもよい。該移動体通信システムはアンカーノード（ａｎｃｈｏｒ  ｎｏｄｅ）１０、ドナーノード（ｄｏｎｏｒ  ｎｏｄｅ）２０、中継ネットワーク３０及び端末４０を備えてもよい。
【００２６】
アンカーノード１０はユーザープレーン及び／又は制御プレーンのアンカーである。アンカーノード１０はコアネットワーク要素に接続されてもよく、例えば、アンカーノード１０はユーザープレーンのアンカーとしてユーザープレーン機能エンティティ（ＵＰＦ、Ｕｓｅｒ  Ｐｌａｎｅ  Ｆｕｎｃｔｉｏｎ）に接続され、及び／又は、アンカーノード１０は制御プレーンのアンカーとしてアクセス及び移動性管理機能エンティティ（ＡＭＦ、Ａｃｃｅｓｓ  ａｎｄ  Ｍｏｂｉｌｉｔｙ  ｍａｎａｇｅｍｅｎｔ  Ｆｕｎｃｔｉｏｎ）に接続される。アンカーノード１０とドナーノード２０は固定接続によって接続される。固定接続は有線接続又は物理的接続と称されてもよく、例えばアンカーノード１０とドナーノード２０は通信ケーブルによって接続される。
【００２７】
ドナーノード２０と中継ネットワーク３０は第１無線接続によって接続される。例えば、ドナーノード２０と中継ネットワーク３０におけるリレーノード３１は無線インターフェース技術で相互通信を実現する。
【００２８】
アンカーノード１０とドナーノード２０はいずれもアクセスネットワーク装置、例えば基地局（ＢＳ、Ｂａｓｅ  Ｓｔａｔｉｏｎ）であってもよい。アクセスネットワーク装置は無線アクセスネットワークに配置され、端末４０に無線通信機能を提供することに用いられる。
【００２９】
中継ネットワーク３０と端末４０は第２無線接続によって接続される。例えば、端末４０と中継ネットワーク３０におけるリレーノード３１は無線インターフェース技術で相互通信を実現してもよい。端末４０は無線通信機能を有する様々な携帯端末、車載装置、ウェアラブル端末、計算装置又は無線モデムに接続される他の処理装置、及び様々なタイプのユーザー装置（ＵＥ、Ｕｓｅｒ  Ｅｑｕｉｐｍｅｎｔ）、移動局（ＭＳ、Ｍｏｂｉｌｅ  Ｓｔａｔｉｏｎ）、端末装置（ｔｅｒｍｉｎａｌ  ｄｅｖｉｃｅ）等を含んでもよい。
【００３０】
中継ネットワーク３０は少なくとも１つのリレーノード３１を含み、該少なくとも１つのリレーノード３１には、ドナーノード２０に直接接続される第１リレーノード（図面では番号３２で示される）及び端末４０に直接接続される第２リレーノード（図面では番号３３で示される）がある。上記第１リレーノード３２と第２リレーノード３３は同じリレーノードであってもよく、２つの異なるリレーノードであってもよい。
【００３１】
選択肢として、中継ネットワーク３０に２つ以上のリレーノード３１が含まれており、前記２つ以上のリレーノード３１はアドホックネットワーク技術で中継ネットワーク３０を形成してもよい。
【００３２】
アンカーノード１０と端末４０はドナーノード２０及び中継ネットワーク３０を介してデータを伝送してもよい。
【００３３】
選択肢として、アンカーノード１０は端末４０に対して対応の第１ＰＤＣＰ  ＰＤＵを生成し、上記固定接続によってドナーノード２０に第１ＰＤＣＰ  ＰＤＵを送信することに用いられる。第１ＰＤＣＰ  ＰＤＵは制御プレーンのＰＤＣＰ  ＰＤＵであってもよく、ユーザープレーンのＰＤＣＰ  ＰＤＵであってもよい。
【００３４】
選択肢として、ドナーノード２０はアンカーノード１０から送信された第１ＰＤＣＰ  ＰＤＵを受信し、第１ＰＤＣＰ  ＰＤＵに第１メッセージヘッダを追加することに用いられる。第１メッセージヘッダは第１ＰＤＣＰ  ＰＤＵが中継ネットワーク３０経由で第２リレーノード３３に伝送され、即ち端末４０のリレーノードにサービスすることをサポートすることに用いられる。
【００３５】
選択肢として、第１メッセージヘッダは第１ＰＤＣＰ  ＰＤＵに対するルーティング伝送及びマルチホップ伝送を実現することに用いられる。ドナーノード２０から第２リレーノード３３までの経路に少なくとも２つのノードがある場合、第１メッセージヘッダによって第１ＰＤＣＰ  ＰＤＵに対するルーティング伝送及びマルチホップ伝送を実現する。上記経路の両端ノードはドナーノード２０及び第２リレーノード３３であり、上記経路は第１リレーノード３２及び第２リレーノード３３のほか、更に少なくとも１つの他のリレーノード３１を選択肢として含む。
【００３６】
本願のいくつかの実施例では、ドナーノード２０は更に、第１ＰＤＣＰ  ＰＤＵに第１メッセージヘッダを追加する前に、第１ＰＤＣＰ  ＰＤＵに第２メッセージヘッダを追加することに用いられる。選択肢として、第２メッセージヘッダを追加した第１ＰＤＣＰ  ＰＤＵは第２ＰＤＣＰ  ＰＤＵと称される。第２メッセージヘッダは少なくとも２つの端末４０のＰＤＵセッション（ｓｅｓｓｉｏｎ）を同じＰＤＣＰ接続に多重化することに用いられ、該ＰＤＣＰ接続はドナーノード２０と第２リレーノード３３との間に確立される。例えば、該第２メッセージヘッダはＰＤＣＰメッセージヘッダである。
【００３７】
本願のいくつかの実施例では、ドナーノード２０は更に、第１ＰＤＣＰ  ＰＤＵに第１メッセージヘッダを追加する前に、第１ＰＤＣＰ  ＰＤＵに第３メッセージヘッダを追加することに用いられる。選択肢として、第３メッセージヘッダを追加した第１ＰＤＣＰ  ＰＤＵは第３ＰＤＣＰ  ＰＤＵと称される。第３メッセージヘッダは少なくとも２つの端末４０のＰＤＵセッションを区別することに用いられる。例えば、該第３メッセージヘッダは汎用パケット無線サービストンネルプロトコル（ＧＴＰ、Ｇｅｎｅｒａｌ  Ｐａｃｋｅｔ  Ｒａｄｉｏ  Ｓｅｒｖｉｃｅ  Ｔｕｒｎｉｎｇ  Ｐｒｏｔｏｃｏｌ）メッセージヘッダ及び／又はユーザーデータグラムプロトコル（ＵＤＰ、Ｕｓｅｒ  Ｄａｔａｇｒａｍ  Ｐｒｏｔｏｃｏｌ）メッセージヘッダ及び／又はインターネットプロトコル（ＩＰ、Ｉｎｔｅｒｎｅｔ  Ｐｒｏｔｏｃｏｌ）メッセージヘッダである。
【００３８】
本願のいくつかの実施例では、端末４０については、下記いずれか１つ又は複数のベアラが確立されてもよい。
【００３９】
１、端末４０とアンカーノード１０との間にシグナリグ無線ベアラ（ＳＲＢ、Ｓｉｇｎａｌｉｎｇ  Ｒａｄｉｏ  Ｂｅａｒｅｒ）１／２が確立され、及び／又は、端末４０とドナーノード２０との間にＳＲＢ１／２が確立され、
２、端末４０と第２リレーノード３３との間にＳＲＢ３が確立され、
３、端末４０とアンカーノード１０との間にマスタ基地局群（ＭＣＧ）の無線リンク制御ベアラ（ＲＬＣ  Ｂｅａｒｅｒ、Ｒａｄｉｏ  Ｌｉｎｋ  Ｃｏｎｔｒｏｌ  Ｂｅａｒｅｒ）が確立され、
４、端末４０と第２リレーノード３３との間にセカンダリ基地局群（ＳＣＧ）のＲＬＣ  Ｂｅａｒｅｒが確立される。
【００４０】
本願のいくつかの実施例では、第２リレーノード３３については、下記いずれか１つ又は複数のベアラが確立されてもよい。
【００４１】
１、第２リレーノード３３とアンカーノード１０との間にＳＲＢ１／２が確立され、及び／又は、第２リレーノード３３と第１リレーノード３２との間にＳＲＢ１／２が確立され、
２、第２リレーノード３３と第１リレーノード３２との間にＳＲＢ３が確立され、
３、第２リレーノード３３とアンカーノード１０との間にＭＣＧのＲＬＣ  Ｂｅａｒｅｒが確立され、
４、第２リレーノード３３と第１リレーノード３２との間にＳＣＧのＲＬＣ  Ｂｅａｒｅｒが確立される。
【００４２】
本願のいくつかの実施例では、第１リレーノード３２については、ドナーノード２０との間にＳＲＢ３が確立されてもよい。
【００４３】
本願の実施例では、ＳＲＢ１／２はシグナリング伝送機能を実現することに用いられてもよい。ＳＲＢ１は無線リソース制御（ＲＲＣ、Ｒａｄｉｏ  Ｒｅｓｏｕｒｃｅ  Ｃｏｎｔｒｏｌ）メッセージを伝送することに用いられてもよく、ＳＲＢ２が確立される前に、ＳＲＢ２より優先度が高い。ＳＲＢ２は非アクセス層（ＮＡＳ、Ｎｏｎ−ａｃｃｅｓｓ  Ｓｔｒａｔｕｍ）メッセージを伝送することに用いられてもよく、ＳＲＢ１より優先度が低く、且つ一般的にセーフモードがアクティブ化された後にＳＲＢ２を構成する。ＳＲＢ３はＭＣＧに関わるシグナリング伝送機能を実現することに用いられる。
【００４４】
選択肢として、中継ネットワーク３０における各リレーノード３１に中継プロトコルスタックＸが設定される。中継プロトコルスタックＸは第１メッセージヘッダに基づいて第１ＰＤＣＰ  ＰＤＵに対する処理操作を決定することに用いられ、該処理操作は該リレーノード３１の高位層プロトコルスタックへの転送、又は、中継ネットワーク３０における他のリレーノード３１への転送を含む。選択肢として、前記高位層プロトコルスタックは中継プロトコルスタックＸの上位層に位置するプロトコルスタックである。選択肢として、第１メッセージヘッダに基づいて第１ＰＤＣＰ  ＰＤＵを中継ネットワーク３０における他のリレーノード３１に転送することを決定する場合、更に第１メッセージヘッダに基づいて第１ＰＤＣＰ  ＰＤＵをどのリレーノード３１に転送するかを決定する。第１リレーノード３２を例とすると、第１リレーノード３２は第１ＰＤＣＰ  ＰＤＵを他のリレーノード３１に転送することを決定する場合、第１ＰＤＣＰ  ＰＤＵを該第１リレーノード３２の高位層プロトコルスタックに転送して処理することがない。
【００４５】
選択肢として、中継プロトコルスタックＸはＲＬＣプロトコルスタックの上位層に位置する。選択肢として、中継プロトコルスタックＸはＰＤＣＰプロトコルスタックの下位層に位置する。一例では、中継プロトコルスタックＸはＲＬＣプロトコルスタックとＰＤＣＰプロトコルスタックとの間に位置する。例示的に、図２に示すように、リレーノード３１の無線プロトコルスタックは下から上まで順に物理層（ＰＨＹ、Ｐｈｙｓｉｃａｌ  Ｌａｙｅｒ）プロトコルスタック、媒体アクセス制御（ＭＡＣ、Ｍｅｄｉａ  Ａｃｃｅｓｓ  Ｃｏｎｔｒｏｌ）プロトコルスタック、ＲＬＣプロトコルスタック、中継プロトコルスタックＸ及びＰＤＣＰプロトコルスタックを含む。
【００４６】
他の可能な例示では、中継プロトコルスタックＸはＰＤＣＰプロトコルスタックと同じ層に属してもよい。
【００４７】
本願のいくつかの実施例では、第１ＰＤＣＰ  ＰＤＵはドナーノード２０と第１リレーノード３２との間に自動再送要求（ＡＲＱ、Ａｕｔｏｍａｔｉｃ  Ｒｅｐｅａｔ−ｒｅＱｕｅｓｔ）再送メカニズムを用いて伝送し、第１ＰＤＣＰ  ＰＤＵは第１リレーノード３２と第２リレーノード３３との間にＡＲＱ再送メカニズムを用いて伝送する。すなわち、ドナーノード２０と第１リレーノード３２との間、第１リレーノード３２と第２リレーノード３３との間にポイントツーポイントでＡＲＱ再送を行い、ロスレス伝送を確保する。
【００４８】
本願のいくつかの実施例では、第１ＰＤＣＰ  ＰＤＵはアンカーノード１０と端末４０との間にエンドツーエンド暗号化伝送及び／又は完全性保護及び／又はデータ再送を用いる。
【００４９】
本願のいくつかの実施例では、第２ＰＤＣＰ  ＰＤＵはドナーノード２０と第２リレーノード３３との間にエンドツーエンド暗号化伝送及び／又は完全性保護及び／又はデータ再送を用いる。
【００５０】
図３には本願の例示的な実施例に係る移動体通信システムにおける各装置の無線プロトコルスタックの模式図を示す。
【００５１】
アンカーノード１０と端末４０との間には端末４０に対応する第１データ無線ベアラ（ＤＲＢ、Ｄａｔａ  Ｒａｄｉｏ  Ｂｅａｒｅｒ）がある。アンカーノード１０は端末４０に対応するデータフロー（ｆｌｏｗ）を第１ＤＲＢにベアリングして端末４０に伝送する。このような場合、データフローが第２リレーノード３３を通過するが、第２リレーノード３３はデータフローに対してＧＴＰ層処理を行わずにデータフローを端末４０にトランスペアレント伝送する。
【００５２】
図４には本願の他の例示的な実施例に係る移動体通信システムにおける各装置の無線プロトコルスタックの模式図を示す。
【００５３】
アンカーノード１０と第２リレーノード３３との間には第２リレーノード３３に対応する第２ＤＲＢがある。アンカーノード１０は端末４０に対応するデータフローを第２ＤＲＢにベアリングして第２リレーノード３３に伝送し、第２リレーノード３３はデータフローを端末４０に送信する。選択肢として、第２リレーノード３３はデータフローをＧＴＰ処理して端末４０に送信する。選択肢として、第２ＤＲＢには少なくとも２つの端末４０に対応するデータフローがベアリングされる。
【００５４】
本願のいくつかの実施例では、中継ネットワーク３０におけるリレーノード３１（例えば、第１リレーノード３２、第２リレーノード３３）は分散ユニット（ＤＵ、Ｄｉｓｔｒｉｂｕｔｅｄ  Ｕｎｉｔ）として第１インターフェースを介してドナーノード２０に接続され、該第１インターフェースは統合−分散（ＣＵ−ＤＵ）インターフェースである。
【００５５】
本願のいくつかの実施例では、中継ネットワーク３０におけるリレーノード３１（例えば、第１リレーノード３２、第２リレーノード３３）は基地局（５Ｇシステムでは、基地局がｇＮＢと称されてもよい）として第２インターフェースを介してドナーノード２０に接続され、該第２インターフェースはＮ２、Ｎ３又はＸｎインターフェースである。
【００５６】
選択肢として、中継ネットワーク３０におけるリレーノード３１は第１アクセス方式でターゲットノードにアクセスし、ターゲットノードを介してネットワーク構成情報を取得し、該第１アクセス方式は端末タイプのアクセス方式である。
【００５７】
選択肢として、中継ネットワーク３０におけるリレーノード３１はターゲットノードを介してネットワーク構成情報を取得し、ネットワーク構成情報に基づいて第２アクセス方式でドナーノード２０にアクセスし、該第２アクセス方式はリレーノードタイプのアクセス方式である。上記ネットワーク構成情報は第２アクセス方式の関連パラメータ、例えばどのノードを介してアクセスするかを含んでもよい。
【００５８】
要するに、本願の実施例に係る技術案では、５Ｇシステムに適用される中継技術を提供し、リレーノードからドナーノードまでのルーティング伝送及びマルチホップ伝送を実現する。
【００５９】
図５には本願の一実施例に係るデータ伝送方法のフローチャートを示す。該方法は図１に示される移動体通信システムに適用されてもよい。該方法は以下のステップ５０１〜５０６を含んでもよい。
【００６０】
ステップ５０１、アンカーノード１０は端末４０に対して対応の第１ＰＤＣＰ  ＰＤＵを生成する。
【００６１】
ステップ５０２、アンカーノード１０はドナーノード２０との固定接続によってドナーノード２０に第１ＰＤＣＰ  ＰＤＵを送信する。
【００６２】
ステップ５０３、ドナーノード２０は第１ＰＤＣＰ  ＰＤＵに第１メッセージヘッダを追加する。
【００６３】
第１メッセージヘッダは第１ＰＤＣＰ  ＰＤＵを中継ネットワーク３０経由で第２リレーノード３３に伝送することをサポートすることに用いられる。第１メッセージヘッダは第１ＰＤＣＰ  ＰＤＵに対するルーティング伝送及びマルチホップ伝送を実現することに用いられる。
【００６４】
ステップ５０４、ドナーノード２０は第１メッセージヘッダを追加した第１ＰＤＣＰ  ＰＤＵを第１リレーノード３２に送信する。
【００６５】
ステップ５０５、第１リレーノード３２は第２リレーノード３３に第１ＰＤＣＰ  ＰＤＵを送信する。
【００６６】
ステップ５０６、第２リレーノード３３は端末４０に第１ＰＤＣＰ  ＰＤＵを送信する。
【００６７】
要するに、本願の実施例に係る技術案では、５Ｇシステムに適用される中継技術を提供し、リレーノードからドナーノードまでのルーティング伝送及びマルチホップ伝送を実現する。
【００６８】
上記方法実施例に開示されていない詳細については、本願のシステム実施例を参照してもよい。
【００６９】
また、上記方法実施例では、アンカーノード１０、ドナーノード２０、第１リレーノード３２、第２リレーノード３３及び端末４０のインタラクションの観点のみから本願の技術案を説明したが、上記のアンカーノード１０に関わるステップは独立してアンカーノード１０側のデータ伝送方法として実現されてもよく、上記のドナーノード２０に関わるステップは独立してドナーノード２０側のデータ伝送方法として実現されてもよく、上記の第１リレーノード３２に関わるステップは独立して第１リレーノード３２側のデータ伝送方法として実現されてもよく、上記の第２リレーノード３３に関わるステップは独立して第２リレーノード３３側のデータ伝送方法として実現されてもよく、上記の端末４０に関わるステップは独立して端末４０側のデータ伝送方法として実現されてもよい。
【００７０】
以下は本願の装置実施例であり、装置実施例における未説明の詳細については、上記方法実施例又はシステム実施例を参照してもよい。
【００７１】
図６には本願の一実施例に係るデータ伝送装置のブロック図を示す。前記装置は上記方法及びシステムの例示におけるアンカーノード１０を実現する機能を有し、前記機能はハードウェアで実現されてもよく、ハードウェアが対応のソフトウェアを実行することで実現されてもよい。前記装置は、
前記端末４０に対して対応の第１ＰＤＣＰ  ＰＤＵを生成することに用いられる処理モジュール６１０と、
前記ドナーノード２０との固定接続によって前記ドナーノード２０に前記第１ＰＤＣＰ  ＰＤＵを送信することに用いられる送信モジュール６２０と、を備えてもよい。
【００７２】
１つの好適な実施例では、前記アンカーノード１０と前記端末４０との間には前記端末４０に対応する第１ＤＲＢがあり、
前記送信モジュール６２０は更に、端末４０に対応するデータフローを前記第１ＤＲＢにベアリングして前記第２リレーノード３３に伝送することに用いられ、前記第２リレーノード３３は前記データフローを前記端末４０に送信する。
【００７３】
１つの好適な実施例では、前記アンカーノード１０と前記第２リレーノード３３との間には前記第２リレーノード３３に対応する第２ＤＲＢがあり、
前記送信モジュール６２０は更に、前記端末４０に対応するデータフローを前記第２ＤＲＢにベアリングして前記第２リレーノード３３に伝送することに用いられ、前記第２リレーノード３３は前記データフローをＧＴＰ処理して前記端末４０に送信する。
【００７４】
図７には本願の他の実施例に係るデータ伝送装置のブロック図を示す。前記装置は上記方法及びシステムの例示におけるドナーノード２０を実現する機能を有し、前記機能はハードウェアで実現されてもよく、ハードウェアが対応のソフトウェアを実行することで実現されてもよい。前記装置は、
前記アンカーノード１０との固定接続によって前記アンカーノード１０から送信された第１ＰＤＣＰ  ＰＤＵを受信することに用いられる受信モジュール７１０と、
前記第１ＰＤＣＰ  ＰＤＵに第１メッセージヘッダを追加することに用いられ、前記第１メッセージヘッダは前記第１ＰＤＣＰ  ＰＤＵを前記中継ネットワーク３０経由で前記第２リレーノード３３に伝送することをサポートすることに用いられる処理モジュール７２０と、
前記第１メッセージヘッダを追加した前記第１ＰＤＣＰ  ＰＤＵを前記第１リレーノード３２に送信することに用いられる送信モジュール７３０と、を備えてもよい。
【００７５】
１つの好適な実施例では、前記第１メッセージヘッダは前記第１ＰＤＣＰ  ＰＤＵに対するルーティング伝送及びマルチホップ伝送を実現することに用いられる。
【００７６】
１つの好適な実施例では、前記処理モジュール７２０は更に、前記第１ＰＤＣＰ  ＰＤＵに第２メッセージヘッダを追加することに用いられ、前記第２メッセージヘッダは少なくとも２つの端末４０のＰＤＵセッションを同じＰＤＣＰ接続に多重化することに用いられ、前記ＰＤＣＰ接続は前記ドナーノード２０と前記第２リレーノード３３との間に確立される。
【００７７】
１つの好適な実施例では、前記処理モジュール７２０は更に、前記第１ＰＤＣＰ  ＰＤＵに第３メッセージヘッダを追加することに用いられ、前記第３メッセージヘッダは少なくとも２つの端末４０のＰＤＵセッションを区別することに用いられる。
【００７８】
図８には本願の他の実施例に係るデータ伝送装置のブロック図を示す。前記装置は上記方法及びシステムの例示におけるリレーノード３１（例えば、第１リレーノード３２又は第２リレーノード３３）を実現する機能を有し、前記機能はハードウェアで実現されてもよく、ハードウェアが対応のソフトウェアを実行することで実現されてもよい。前記装置は受信モジュール８１０、処理モジュール８２０及び送信モジュール８３０を備えてもよい。
【００７９】
該装置が第１リレーノード３２の機能を有する場合、前記受信モジュール８１０は前記ドナーノード２０から送信された第１ＰＤＣＰ  ＰＤＵを受信することに用いられ、前記送信モジュール８３０は前記第２リレーノード３３に前記第１ＰＤＣＰ  ＰＤＵを送信することに用いられる。
【００８０】
選択肢として、前記処理モジュール８２０は前記第１ＰＤＣＰ  ＰＤＵの第１メッセージヘッダに基づいて前記ＰＤＣＰ  ＰＤＵに対する処理操作を決定することに用いられ、前記処理操作は前記第１リレーノード３２の高位層プロトコルスタックへの転送、又は、前記中継ネットワーク３０における前記第２リレーノード３３への転送を含み、
前記送信モジュール８３０は更に、前記処理モジュール８２０は前記第１ＰＤＣＰ  ＰＤＵに対する処理操作が前記第２リレーノード３３への転送であることを決定した場合、前記第２リレーノード３３に前記第１ＰＤＣＰ  ＰＤＵを送信することに用いられる。
【００８１】
該装置が第２リレーノード３３の機能を有する場合、前記受信モジュール８１０は前記第１リレーノード３２から送信されたＰＤＣＰ  ＰＤＵを受信することに用いられ、前記送信モジュール８３０は前記端末４０に前記ＰＤＣＰ  ＰＤＵを送信することに用いられる。
【００８２】
図９には本願の一実施例に係るアンカーノード１０の構造模式図を示し、該アンカーノード１０はプロセッサ１０１、受信機１０２、送信機１０３、メモリ１０４及びバス１０５を備えてもよい。
【００８３】
プロセッサ１０１は１つ以上の処理コアを備え、プロセッサ１０１はソフトウェアプログラム及びモジュールを実行することにより、様々な機能アプリケーション及び情報処理を実行する。
【００８４】
受信機１０２と送信機１０３は１つの通信コンポーネントとして実現されてもよく、該通信コンポーネントは１つの通信チップであってもよい。
【００８５】
メモリ１０４はバス１０５によってプロセッサ１０１に接続される。
【００８６】
メモリ１０４は少なくとも１つの命令を記憶することに用いられてもよく、プロセッサ１０１は該少なくとも１つの命令を実行して、上記方法実施例におけるアンカーノード１０の実行する各ステップを実現することに用いられる。
【００８７】
また、メモリ１０４はいかなるタイプの揮発性記憶装置又は不揮発性記憶装置又はそれらの組み合わせで実現されてもよく、揮発性記憶装置又は不揮発性記憶装置は磁気ディスク又は光ディスク、電気的消去可能プログラム可能読み出し専用メモリ（ＥＥＰＲＯＭ）、消去可能プログラム可能読み出し専用メモリ（ＥＰＲＯＭ）、スタティックランダムアクセスメモリ（ＳＲＡＭ）、読み出し専用メモリ（ＲＯＭ）、磁気メモリ、フラッシュメモリ、プログラム可能読み出し専用メモリ（ＰＲＯＭ）を含むが、それらに限らない。
【００８８】
図１０には本願の一実施例に係るドナーノード２０の構造模式図を示し、該ドナーノード２０はプロセッサ１１１、受信機１１２、送信機１１３、メモリ１１４及びバス１１５を備えてもよい。
【００８９】
プロセッサ１１１は１つ以上の処理コアを備え、プロセッサ１１１はソフトウェアプログラム及びモジュールを実行することにより、様々な機能アプリケーション及び情報処理を実行する。
【００９０】
受信機１１２と送信機１１３は１つの通信コンポーネントとして実現されてもよく、該通信コンポーネントは１つの通信チップであってもよい。
【００９１】
メモリ１１４はバス１１５によってプロセッサ１１１に接続される。
【００９２】
メモリ１１４は少なくとも１つの命令を記憶することに用いられてもよく、プロセッサ１１１は該少なくとも１つの命令を実行して、上記方法実施例におけるドナーノード２０の実行する各ステップを実現することに用いられる。
【００９３】
また、メモリ１１４はいかなるタイプの揮発性記憶装置又は不揮発性記憶装置又はそれらの組み合わせで実現されてもよく、揮発性記憶装置又は不揮発性記憶装置は磁気ディスク又は光ディスク、電気的消去可能プログラム可能読み出し専用メモリ（ＥＥＰＲＯＭ）、消去可能プログラム可能読み出し専用メモリ（ＥＰＲＯＭ）、スタティックランダムアクセスメモリ（ＳＲＡＭ）、読み出し専用メモリ（ＲＯＭ）、磁気メモリ、フラッシュメモリ、プログラム可能読み出し専用メモリ（ＰＲＯＭ）を含むが、それらに限らない。
【００９４】
図１１には本願の一実施例に係るリレーノード３１の構造模式図を示し、該リレーノード３１はプロセッサ１２１、受信機１２２、送信機１２３、メモリ１２４及びバス１２５を備えてもよい。
【００９５】
プロセッサ１２１は１つ以上の処理コアを備え、プロセッサ１２１はソフトウェアプログラム及びモジュールを実行することにより、様々な機能アプリケーション及び情報処理を実行する。
【００９６】
受信機１２２と送信機１２３は１つの通信コンポーネントとして実現されてもよく、該通信コンポーネントは１つの通信チップであってもよい。
【００９７】
メモリ１２４はバス１２５によってプロセッサ１２１に接続される。
【００９８】
メモリ１２４は少なくとも１つの命令を記憶することに用いられてもよく、プロセッサ１２１は該少なくとも１つの命令を実行して、上記方法実施例におけるリレーノード３１（第１リレーノード３２及び第２リレーノード３３を含む）の実行する各ステップを実現することに用いられる。
【００９９】
また、メモリ１２４はいかなるタイプの揮発性記憶装置又は不揮発性記憶装置又はそれらの組み合わせで実現されてもよく、揮発性記憶装置又は不揮発性記憶装置は磁気ディスク又は光ディスク、電気的消去可能プログラム可能読み出し専用メモリ（ＥＥＰＲＯＭ）、消去可能プログラム可能読み出し専用メモリ（ＥＰＲＯＭ）、スタティックランダムアクセスメモリ（ＳＲＡＭ）、読み出し専用メモリ（ＲＯＭ）、磁気メモリ、フラッシュメモリ、プログラム可能読み出し専用メモリ（ＰＲＯＭ）を含むが、それらに限らない。
【０１００】
本願の実施例は更にコンピュータ可読記憶媒体を提供し、前記記憶媒体に少なくとも１つの命令が記憶され、前記少なくとも１つの命令はプロセッサによりロードして実行されて、上記各方法実施例に係るデータ伝送方法を実現する。
【０１０１】
本願は更にコンピュータプログラム製品を提供し、コンピュータプログラム製品がコンピュータにおいて実行されるとき、コンピュータが上記各方法実施例に係るデータ伝送方法を実行する。
【０１０２】
当業者であれば意識できるように、上記１つ又は複数の例示では、本願の実施例に説明される機能はハードウェア、ソフトウェア、ファームウェア又はそれらの組み合わせで実現されてもよい。ソフトウェアで実現される場合、これらの機能をコンピュータ可読媒体に記憶し、又はコンピュータ可読媒体における１つ又は複数の命令又はコードとして伝送してもよい。コンピュータ可読媒体はコンピュータ記憶媒体及び通信媒体を含み、通信媒体は一箇所から他の箇所にコンピュータプログラムを容易に伝送することのできるいかなる媒体を含む。記憶媒体は汎用又は専用コンピュータにアクセスできるいかなる利用可能媒体であってもよい。
【０１０３】
以上の説明は本願の例示的な実施例に過ぎず、本願を制限するためのものではなく、本願の趣旨及び原則内に行われたいかなる修正、等価置換、改良等は、いずれも本願の保護範囲内に含まれるべきである。
【図１】
2021513255.tif 000003
【図２】
2021513255.tif 000004
【図３】
2021513255.tif 000005
【図４】
2021513255.tif 000006
【図５】
2021513255.tif 000007
【図６】
2021513255.tif 000008
【図７】
2021513255.tif 000009
【図８】
2021513255.tif 000010
【図９】
2021513255.tif 000011
【図１０】
2021513255.tif 000012
【図１１】
2021513255.tif 000013
【手続補正書】
【提出日】令和2年9月17日(2020.9.17)
【手続補正１】
【補正対象書類名】明細書
【補正対象項目名】００８０
【補正方法】変更
【補正の内容】
【００８０】
選択肢として、前記処理モジュール８２０は前記第１ＰＤＣＰ  ＰＤＵの第１メッセージヘッダに基づいて前記第１ＰＤＣＰ  ＰＤＵに対する処理操作を決定することに用いられ、前記処理操作は前記第１リレーノード３２の高位層プロトコルスタックへの転送、又は、前記中継ネットワーク３０における前記第２リレーノード３３への転送を含み、
前記送信モジュール８３０は更に、前記処理モジュール８２０は前記第１ＰＤＣＰ  ＰＤＵに対する処理操作が前記第２リレーノード３３への転送であることを決定した場合、前記第２リレーノード３３に前記第１ＰＤＣＰ  ＰＤＵを送信することに用いられる。
【手続補正２】
【補正対象書類名】特許請求の範囲
【補正対象項目名】全文
【補正方法】変更
【補正の内容】
【特許請求の範囲】
【請求項１】
移動体通信システムであって、アンカーノード、ドナーノード、中継ネットワーク及び端末を備え、
前記アンカーノードと前記ドナーノードは固定接続によって接続され、前記アンカーノードはユーザープレーン及び／又は制御プレーンのアンカーであり、
前記ドナーノードと前記中継ネットワークは第１無線接続によって接続され、前記中継ネットワークと前記端末は第２無線接続によって接続され、
前記中継ネットワークは少なくとも１つのリレーノードを含み、前記少なくとも１つのリレーノードには、前記ドナーノードに直接接続される第１リレーノード及び前記端末に直接接続される第２リレーノードがあることを特徴とする移動体通信システム。
【請求項２】
前記アンカーノードは、前記端末に対して対応の第１パケットデータ収束プロトコルデータユニット（ＰＤＣＰ  ＰＤＵ）を生成し、前記固定接続によって前記ドナーノードに前記第１ＰＤＣＰ  ＰＤＵを送信することに用いられることを特徴とする請求項１に記載のシステム。
【請求項３】
前記ドナーノードは前記第１ＰＤＣＰ  ＰＤＵに第１メッセージヘッダを追加することに用いられ、
前記第１メッセージヘッダは、前記第１ＰＤＣＰ  ＰＤＵを前記中継ネットワークにおいて前記第２リレーノードに伝送することをサポートすることに用いられることを特徴とする請求項２に記載のシステム。
【請求項４】
前記第１メッセージヘッダは、前記第１ＰＤＣＰ  ＰＤＵに対するルーティング伝送及びマルチホップ伝送を実現することに用いられることを特徴とする請求項３に記載のシステム。
【請求項５】
前記端末と前記アンカーノードとの間にシグナリグ無線ベアラ（ＳＲＢ）１／２が確立され、及び／又は、前記端末と前記ドナーノードとの間に前記シグナリグ無線ベアラ（ＳＲＢ）１／２が確立されることを特徴とする請求項１〜４のいずれか１項に記載のシステム。
【請求項６】
前記端末と前記アンカーノードとの間にマスタ基地局群（ＭＣＧ）の無線リンク制御ベアラ（ＲＬＣ  Ｂｅａｒｅｒ）が確立され、或いは、
前記端末と前記第２リレーノードとの間にセカンダリ基地局群（ＳＣＧ）の無線リンク制御ベアラ（ＲＬＣ  Ｂｅａｒｅｒ）が確立され、或いは、
前記第２リレーノードと前記アンカーノードとの間にシグナリグ無線ベアラ（ＳＲＢ）１／２が確立され、及び／又は、前記第２リレーノードと前記第１リレーノードとの間に前記シグナリグ無線ベアラ（ＳＲＢ）１／２が確立され、或いは、
前記第２リレーノードと前記第１リレーノードとの間にシグナリグ無線ベアラ（ＳＲＢ）３が確立され、或いは、
前記第２リレーノードと前記第１リレーノードとの間にセカンダリ基地局群（ＳＣＧ）の無線リンク制御ベアラ（ＲＬＣ  Ｂｅａｒｅｒ）が確立され、或いは、
前記第１リレーノードと前記ドナーノードとの間にシグナリグ無線ベアラ（ＳＲＢ）３が確立され、或いは、
前記第２リレーノードと前記アンカーノードとの間にマスタ基地局群（ＭＣＧ）の無線リンク制御ベアラ（ＲＬＣ  Ｂｅａｒｅｒ）が確立されることを特徴とする請求項１〜４のいずれか１項に記載のシステム。
【請求項７】
前記中継ネットワークにおける各リレーノードに中継プロトコルスタックＸが設定され、
前記中継プロトコルスタックＸは、前記第１メッセージヘッダに基づいて前記第１ＰＤＣＰ  ＰＤＵの処理操作を決定することに用いられ、前記処理操作は各前記リレーノードの高位層プロトコルスタックへの転送、又は、前記中継ネットワークにおける他のリレーノードへの転送を含むことを特徴とする請求項３〜６のいずれか１項に記載のシステム。
【請求項８】
前記中継プロトコルスタックＸは無線リンク制御（ＲＬＣ）プロトコルスタックの上位層に位置し、或いは、前記中継プロトコルスタックＸはＰＤＣＰプロトコルスタックの下位層に位置することを特徴とする請求項７に記載のシステム。
【請求項９】
前記第１ＰＤＣＰ  ＰＤＵは前記ドナーノードと前記第１リレーノードとの間に自動再送要求（ＡＲＱ）再送メカニズムを用いて伝送し、前記第１ＰＤＣＰ  ＰＤＵは前記第１リレーノードと前記第２リレーノードとの間に前記ＡＲＱ再送メカニズムを用いて伝送し、或いは、
前記第１ＰＤＣＰ  ＰＤＵは前記アンカーノードと前記端末との間にエンドツーエンド暗号化伝送及び／又は完全性保護及び／又はデータ再送を用いることを特徴とする請求項２〜８のいずれか１項に記載のシステム。
【請求項１０】
前記アンカーノードと前記端末との間には前記端末に対応する第１データ無線ベアラ（ＤＲＢ）があり、
前記アンカーノードは前記端末に対応するデータフローを前記第１データ無線ベアラにベアリングして前記第２リレーノードに伝送することに用いられ、前記第２リレーノードは前記データフローを前記端末に送信することを特徴とする請求項１〜９のいずれか１項に記載のシステム。
【請求項１１】
前記アンカーノードと前記第２リレーノードとの間には前記第２リレーノードに対応する第２データ無線ベアラ（ＤＲＢ）があり、前記アンカーノードは前記端末に対応するデータフローを前記第２ＤＲＢにベアリングして前記第２リレーノードに伝送することに用いられ、前記第２リレーノードは前記データフローをＧＴＰ処理して前記端末に送信することを特徴とする請求項１〜９のいずれか１項に記載のシステム。
【請求項１２】
前記第２ＤＲＢには少なくとも２つの端末に対応するデータフローがベアリングされることを特徴とする請求項１１に記載のシステム。
【請求項１３】
前記第２リレーノードは分散ユニットとして第１インターフェースを介して前記ドナーノードに接続され、前記第１インターフェースは統合−分散インターフェースであることを特徴とする請求項１〜１２のいずれか１項に記載のシステム。
【請求項１４】
データ伝送方法であって、移動体通信システムのアンカーノードに適用され、前記移動体通信システムは前記アンカーノード、ドナーノード、中継ネットワーク及び端末を備え、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがあり、
前記方法は、
前記端末に対して対応の第１パケットデータ収束プロトコルデータユニット（ＰＤＣＰ  ＰＤＵ）を生成することと、
前記ドナーノードとの固定接続によって前記ドナーノードに前記第１ＰＤＣＰ  ＰＤＵを送信することと、を含むことを特徴とするデータ伝送方法。
【請求項１５】
コンピュータ可読記憶媒体であって、少なくとも１つの命令が記憶され、前記少なくとも１つの命令はプロセッサにより実行されて、データ伝送方法を実現することに用いられ、前記データ伝送方法は移動体通信システムのアンカーノードに適用され、前記移動体通信システムは前記アンカーノード、ドナーノード、中継ネットワーク及び端末を備え、前記アンカーノードはユーザープレーン及び／又は制御プレーンのアンカーであり、前記ドナーノードと前記中継ネットワークは第１無線接続によって接続され、前記中継ネットワークと前記端末は第２無線接続によって接続され、前記中継ネットワークは少なくとも１つのリレーノードを含み、前記少なくとも１つのリレーノードには、前記ドナーノードに直接接続される第１リレーノード及び前記端末に直接接続される第２リレーノードがあり、
前記方法は、
前記端末に対して対応の第１パケットデータ収束プロトコルデータユニット（ＰＤＣＰ  ＰＤＵ）を生成することと、
前記ドナーノードとの固定接続によって前記ドナーノードに前記第１ＰＤＣＰ  ＰＤＵを送信することと、を含むことを特徴とするコンピュータ可読記憶媒体。
【国際調査報告】
2021513255.tif 000014
2021513255.tif 000015
2021513255.tif 000016
2021513255.tif 000017
2021513255.tif 000018
2021513255.tif 000019